(57)【特許請求の範囲】
【請求項１】
機能部の基端部に設けた口部から突出する止め軸に雄ねじ部を設け、
この機能部の基端部に取り付けた把持部材においては、頭部を有する指当部材と尻部を有する本体部材とを設けるとともに、この指当部材と本体部材との間にスペーサを嵌め込み、
この指当部材には頭部に開口を有する貫通孔を設けるとともに、この本体部材にはこの指当部材の貫通孔にスペーサを介して連通する有底埋込孔を設け、
その有底埋込孔には雌ねじ部を有するねじ部材を埋め込み、
前記止め軸を指当部材の貫通孔に挿入してその貫通孔からスペーサを介して突出した止め軸の雄ねじ部に雌ねじ部材を螺合し、その雌ねじ部材によりこの指当部材を前記機能部の口部に締め付けてこの機能部の口部に前記指当部材の頭部を当接させ、
この止め軸を本体部材の有底埋込孔に挿入してこの止め軸の雄ねじ部とこの有底埋込孔のねじ部材の雌ねじ部とを互いに螺合し、その本体部材により指当部材を機能部の口部に対しスペーサを介して挟持した
ことを特徴とする手動利器の柄。
【請求項２】
前記有底埋込孔内のねじ部材にはその有底埋込孔に螺合される雄ねじ部を設けたことを特徴とする請求項１に記載の手動利器の柄。
【請求項３】
前記把持部材の本体部材を有底埋込孔の底部と本体部材の尻部との間で一体に成形したことを特徴とする請求項１または請求項２に記載の手動利器の柄。
【発明の詳細な説明】
【技術分野】
【０００１】
本発明は、包丁及びナイフなどの刃物や刃物以外の各種道具を含む手動利器において、その柄の構造の改良に関するものである。
【背景技術】
【０００２】
従来、下記特許文献１にかかる柄部では、口金に螺着された連結ロッドの外周に柄部本体が嵌め込まれ、この柄部本体の尻側でこの連結ロッドに螺合されたナットにより、この柄部本体が口金に対し締め付けられ、この柄部本体の尻側が尻金（蓋）により閉塞されている。
【特許文献１】特開２００５−１５３０６５号公報
【発明の開示】
【発明が解決しようとする課題】
【０００３】
上記特許文献１では、柄部本体の尻側で連結ロッド及びナットが露出するため、柄部本体の尻側を尻金（蓋）により閉塞し、連結ロッド及びナットが見えないようにして柄部の見映えを良くする必要があり、その尻金（蓋）等の部品点数が増える問題があった。
【０００４】
この発明は、手動利器の柄において把持部材の止め構造を改良して柄の見映えを良くするとともに把持部材の尻部で蓋等の部品点数を減らすことを目的としている。
【課題を解決するための手段】
【０００５】
後記実施形態の図面（図１〜２）の符号を援用して本発明を説明する。
請求項１の発明にかかる手動利器の柄は下記のように構成されている。
機能部２の基端部２ａに設けた口部３から突出する止め軸５に雄ねじ部６を設けている。この機能部２の基端部２ａに取り付けた把持部材４においては、頭部９ａを有する指当部材９と尻部８ａを有する本体部材８とを設けるとともに、この指当部材９と本体部材８との間にスペーサ１０を嵌め込んでいる。この指当部材９には頭部９ａに開口１２ａを有する貫通孔１２を設けるとともに、この本体部材８にはこの指当部材９の貫通孔１２にスペーサ１０を介して連通する有底埋込孔１５を設けている。その有底埋込孔１５には雌ねじ部１９を有するねじ部材１７を埋め込んでいる。前記止め軸５を指当部材９の貫通孔１２に挿入してその貫通孔１２からスペーサ１０を介して突出した止め軸５の雄ねじ部６に雌ねじ部材１４を螺合し、その雌ねじ部材１４によりこの指当部材９を前記機能部２の口部３に締め付けてこの機能部２の口部３に前記指当部材９の頭部９ａを当接させている。この止め軸５を本体部材８の有底埋込孔１５に挿入してこの止め軸５の雄ねじ部６とこの有底埋込孔１５のねじ部材１７の雌ねじ部１９とを互いに螺合し、その本体部材８により指当部材９を機能部２の口部３に対しスペーサ１０を介して挟持している。
【０００６】
請求項１の発明は下記の効果を有する。
＊  把持部材４の有底埋込孔１５に挿入した止め軸５の雄ねじ部６とこの有底埋込孔１５内のねじ部材１７とを互いに螺合した止め構造Ｍを、把持部材４の尻部８ａと関連なく設けることができるので、把持部材４の尻部８ａから上記止め構造Ｍにおける部品の露出をなくして柄１の見映えを良くするばかりでなく、その尻部に蓋をする必要のある従来技術の柄と比較して蓋等の部品点数を減らすことができる。
【０００８】
＊  前記止め軸５に雄ねじ部６を設け、前記有底埋込孔１５内のねじ部材１７にはこの止め軸５の雄ねじ部６が螺合される雌ねじ部１９を設けているので、上記止め構造Ｍにおける雌雄ねじ構造を簡単にすることができる。
【００１０】
＊  前記把持部材４が本体部材８のほかに指当部材９を有しているので、本体部材８と指当部材９との間で材質や色などを互いに変更して把持部材４の感触や見映えに変化を持たせることができる。
【００１１】
＊ 前記把持部材４において、指当部材９と本体部材８との間でスペーサ１０を挟持したので、指当部材９に対する本体部材８の回動停止位置をスペーサ１０により容易に調節することができる。
【００１２】
＊ 前記指当部材９は前記止め軸５の雄ねじ部６に螺合された雌ねじ部材１４により口部３に対し締め付けられ、この雌ねじ部材１４も前記本体部材８の有底埋込孔１５内に挿入されているので、指当部材９を口部３に対し容易に位置決めすることができる。
請求項１の発明を前提とする請求項２の発明において、前記有底埋込孔１５内のねじ部材１７にはその有底埋込孔１５に螺合される雄ねじ部１８を設けている。請求項２の発明では、有底埋込孔１５に対するねじ部材１７の回り止めを簡単な構造で容易に行うことができる。
請求項１または請求項２の発明を前提とする請求項３の発明においては、前記把持部材４の本体部材８を有底埋込孔１５の底部１５ｂと本体部材８の尻部８ａとの間で一体に成形している。請求項３の発明では、有底埋込孔１５の底部１５ｂと本体部材８の尻部８ａとの間で把持部材４内に上記止め構造Ｍにおける部品を設けていないので、柄１の見映えを良くするとともに、蓋等の部品点数を減らすことができる。
【発明の効果】
【００１３】
本発明は、手動利器の柄１において、把持部材４の止め構造Ｍを改良して柄１の見映えを良くするとともに、把持部材４の尻部８ａで蓋等の部品点数を減らすことができる。
【発明を実施するための最良の形態】
【００１４】
以下、本発明の一実施形態にかかる手動利器について図１〜２を参照して説明する。
手動利器である刃物としての包丁の柄１においては、機能部としての刃体２の基端部２ａに対しその左右両側から重合された左右一対の分割片３ａが一対のピン３ｂにより止着されて口部としての口金３が刃体２の基端部２ａに取り付けられ、この口金３に隣接して把持部材４が下記の止め構造Ｍにより取り付けられている。
【００１５】
刃体２の基端部２ａから止め軸５が延設され、この口金３から突出する止め軸５に雄ねじ部６が形成されている。把持部材４は頭部材７と本体部材８とに分離され、さらに頭部材７は指当部材９とスペーサ１０とに分離されている。
【００１６】
前記指当部材９においては、頭部９ａに形成された開口１２ａから貫通孔１２が有底止め孔１１の一部として延設され、この開口１２ａに対する反対側端部９ｂで貫通孔１２の外周に座金１３が嵌め込まれ、この貫通孔１２に前記止め軸５が挿通されて頭部９ａが口金３に当接されているとともに、この止め軸５の雄ねじ部６がこの指当部材９の貫通孔１２及び座金１３から突出している。その雄ねじ部６に螺合された雌ねじ部材としてのナット１４がこの指当部材９の座金１３に当接されて口金３に対し指当部材９が締め付けられている。前記スペーサ１０はこのナット１４の外周に嵌め込まれて指当部材９の端部９ｂに当接されている。
【００１７】
前記本体部材８においては、尻部８ａに対する反対側端部８ｂに形成された座ぐり穴１５ａから埋込孔１５が底部１５ｂまで有底止め孔１１の一部として延設され、その底部１５ｂと尻部８ａとの間で本体部材８が一体に成形され、その埋込孔１５内に雌ねじ部１６が形成されている。筒状のねじ部材１７においてはその外周に雄ねじ部１８が形成されているとともにその内周に雌ねじ部１９が形成され、その雄ねじ部１８が埋込孔１５内の雌ねじ部１６に螺合されてこのねじ部材１７が埋込孔１５に埋め込まれている。前記止め軸５の雄ねじ部６がこの埋込孔１５に挿入されてねじ部材１７の雌ねじ部１９に螺合され、本体部材８の端部８ｂが前記スペーサ１０に当接して口金３との間で指当部材９及びスペーサ１０を挟持するとともに指当部材９との間でスペーサ１０を挟持し、前記指当部材９の貫通孔１２と本体部材８の埋込孔１５とが互いに連通して前記止め軸５が挿入される有底止め孔１１が形成され、その埋込孔１５の座ぐり穴１５ａに前記ナット１４が嵌め込まれる。
【００１８】
図１（ｂ）及び図２（ｃ）に示す別例では、前記埋込孔１５において雌ねじ部１６が省略されているとともに、前記ねじ部材１７において雄ねじ部１８の代わりにローレット状の筋が形成され、この埋込孔１５に挿入されたねじ部材１７が埋込孔１５に対し接着剤により接着されて回り止めされている。
【００１９】
本実施形態は下記の効果を有する。
＊  柄１の止め構造Ｍにおいては、頭部材７（指当部材９及びスペーサ１０）と本体部材８とからなる把持部材４の有底止め孔１１に挿入された止め軸５の雄ねじ部６と、この有底止め孔１１内のねじ部材１７の雌ねじ部１９とが互いに螺合されているので、柄１の止め構造Ｍが把持部材４の尻部８ａと関連なく設けられ、把持部材４が有底止め孔１１の底部１５ｂと尻部８ａとの間で一体に成形されて把持部材４の尻部８ａから止め構造Ｍにおける部品の露出をなくすことができる。従って、柄１の見映えを良くするばかりでなく、従来技術の柄と比較して蓋等の部品点数を減らすことができる。
【００２０】
＊  把持部材４の感触や見映えに変化を持たせるために、把持部材４を指当部材９と本体部材８とに分離した場合でも、指当部材９に対する本体部材８の回動停止位置をスペーサ１０により容易に調節することができる。
【００２１】
前記実施形態以外にも例えば下記のように構成してもよい。
・  口部としての口金３を分割片３ａによりに分割することなく筒状に形成して刃体２の基端部２ａに取り付けたり、口部としての口金３を刃体２の基端部２ａと一体に形成したりしてもよい。
【図面の簡単な説明】
【００２３】
【図１】（ａ）は本実施形態にかかる手動利器としての包丁においてその柄を分解して示す斜視図であり、（ｂ）はその柄の一部品の別例を示す斜視図である。
【図２】（ａ）は図１（ａ）の柄を組み付けて示す斜視図であり、（ｂ）は（ａ）の柄を正面側から見た断面図であり、（ｃ）は図１（ｂ）の別例部品を利用した部分断面図である。
【符号の説明】
【００２４】
Ｍ…柄の止め構造、１…柄、２…機能部としての刃体、２ａ…刃体の基端部、３…口部としての口金、４…把持部材、５…止め軸、６…止め軸の雄ねじ部、７…把持部材の頭部材、８…把持部材の本体部材、８ａ…本体部材の尻部、９…頭部材の指当部材、９ａ…指当部材の頭部、１０…頭部材のスペーサ、１１…把持部材の有底止め孔、１２…指当部材の貫通孔、１２ａ…貫通孔の開口、１４…雌ねじ部材としてのナット、１５…本体部材の埋込孔、１５ｂ…埋込孔の底部、１７…ねじ部材、１８…ねじ部材の雄ねじ部、１９…ねじ部材の雌ねじ部。 
【図１】
0005160378.tif 000002
【図２】
0005160378.tif 000003